(57)【要約】【課題】飲料供給部に容器が配置されないで飲料が供給されてしまうことを抑制すること。【解決手段】飲料供給部２４に配置された容器Ｃに対して、飲料生成部１１で生成した飲料を供給する飲料供給装置１であって、飲料の生成及び供給を指示する供給指示ボタン２２と、与えられた指令に基づいて表示を行うとともに、操作入力が可能な表示操作部２１と、供給指示ボタン２２が押下操作されたことを契機として、表示操作部２１に容器Ｃを飲料供給部２４に配置する旨の表示、並びに飲料供給部２４に容器Ｃを配置した意思表示としての供給指示ボタン２２の表示を行わせ、供給指示ボタン２２が操作入力された場合に、飲料生成部１１で生成した飲料を容器Ｃに供給させる制御部３０を備えている。【選択図】図２
2020011772.tif 000002
【特許請求の範囲】
【請求項１】
飲料供給部に配置された容器に対して、飲料生成部で生成した飲料を供給する飲料供給装置であって、
飲料の生成及び供給を指示する供給指示ボタンと、
与えられた指令に基づいて表示を行うとともに、操作入力が可能な表示操作部と、
前記供給指示ボタンが押下操作されたことを契機として、前記表示操作部に容器を飲料供給部に配置する旨の表示、並びに飲料供給部に容器を配置した意思表示としての入力部の表示を行わせ、該入力部が操作入力された場合に、前記飲料生成部で生成した飲料を前記容器に供給させる制御部と
を備えたことを特徴とする飲料供給装置。
【請求項２】
前記制御部は、前記入力部が操作入力された場合に、所定の決済処理が終了したことを条件として前記飲料生成部で生成した飲料を前記容器に供給させることを特徴とする請求項１に記載の飲料供給装置。
【請求項３】
前記飲料供給部の入口を開閉する開閉扉と、
前記入口を閉成する前記開閉扉が閉となる状態に保持するロック状態と、該開閉扉が前記入口を開成することを許容する解除状態との間で択一的に切り替え可能な扉開閉ロック機構と
を備え、
前記制御部は、前記入力部が操作入力された場合に、前記扉開閉ロック機構をロック状態にさせてから所定の決済処理が終了したことを条件として前記飲料生成部で生成した飲料を前記容器に供給させ、該飲料の供給後に扉開閉ロック機構を解除状態にさせることを特徴とする請求項１に記載の飲料供給装置。
【請求項４】
飲料供給部に配置された容器に対して、飲料生成部で生成した飲料を供給する飲料供給装置であって、
前記飲料供給部に前記容器が配置されたことを検出する容器検出部と、
飲料の生成及び供給を指示する供給指示ボタンと、
前記容器検出部により前記容器の配置が検出された場合には、前記供給指示ボタンを有効化させる一方、前記容器検出部により前記容器の配置が検出されない場合には、前記供給指示ボタンを無効化させる制御部と
を備え、
前記制御部は、有効化させた前記供給指示ボタンが押下操作された場合に、前記飲料生成部で生成した飲料を前記容器に供給させることを特徴とする飲料供給装置。
【請求項５】
前記制御部は、有効化させた前記供給指示ボタンが押下操作された場合に、所定の決済処理が終了したことを条件として前記飲料生成部で生成した飲料を前記容器に供給させることを特徴とする請求項４に記載の飲料供給装置。
【請求項６】
前記飲料供給部の入口を開閉する開閉扉と、
前記入口を閉成する前記開閉扉が閉となる状態に保持するロック状態と、該開閉扉が前記入口を開成することを許容する解除状態との間で択一的に切り替え可能な扉開閉ロック機構と
を備え、
前記制御部は、有効化させた前記供給指示ボタンが押下操作された場合に、前記扉開閉ロック機構をロック状態にさせてから所定の決済処理が終了したことを条件として前記飲料生成部で生成した飲料を前記容器に供給させ、該飲料の供給後に扉開閉ロック機構を解除状態にさせることを特徴とする請求項４に記載の飲料供給装置。
【請求項７】
前記飲料供給部の入口を開閉する開閉扉と、
前記入口を閉成する前記開閉扉が閉となる状態に保持するロック状態と、該開閉扉が前記入口を開成することを許容する解除状態との間で択一的に切り替え可能な扉開閉ロック機構と
を備え、
前記制御部は、有効化させた前記供給指示ボタンが押下操作された場合に、所定の決済処理が終了したことを条件として前記扉開閉ロック機構をロック状態にさせ、前記飲料生成部で生成した飲料を前記容器に供給させ、該飲料の供給後に扉開閉ロック機構を解除状態にさせることを特徴とする請求項４に記載の飲料供給装置。
【発明の詳細な説明】
【技術分野】
【０００１】
本発明は、飲料供給装置に関し、より詳細には、例えばコンビニエンスストア等の店舗に設置されるコーヒーマシン等の飲料供給装置に関するものである。
【背景技術】
【０００２】
従来、例えばコンビニエンスストア等の店舗には、コーヒーマシン等の飲料供給装置が設置されている。飲料供給装置は、例えばコーヒー豆挽き及びドリッピングの抽出処理等の処理を行って飲料を生成し、例えばカップ等の容器に対して飲料を供給するものである。
【０００３】
そのような飲料供給装置では、飲料の生成及び供給を指示する供給指示ボタンが押下操作されると、容器に対して飲料の供給を行っている（例えば、特許文献１参照）。
【先行技術文献】
【特許文献】
【０００４】
【特許文献１】特開２０１５−２９５４４号公報
【発明の概要】
【発明が解決しようとする課題】
【０００５】
ところで、上述した飲料供給装置では、供給指示ボタンが押下操作されると飲料の供給を行っているので、利用者が容器を所定の飲料供給部に配置しないで供給指示ボタンを押下操作してしまうと、生成した飲料が容器に供給されずに吐出されてしまう虞れがあった。このように飲料が吐出されてしまうと、利用者が不利益を被るだけでなく、生成した飲料の無駄になり好ましくない。
【０００６】
本発明は、上記実情に鑑みて、飲料供給部に容器が配置されないで飲料が供給されてしまうことを抑制することができる飲料供給装置を提供することを目的とする。
【課題を解決するための手段】
【０００７】
上記目的を達成するために、本発明に係る飲料供給装置は、飲料供給部に配置された容器に対して、飲料生成部で生成した飲料を供給する飲料供給装置であって、飲料の生成及び供給を指示する供給指示ボタンと、与えられた指令に基づいて表示を行うとともに、操作入力が可能な表示操作部と、前記供給指示ボタンが押下操作されたことを契機として、前記表示操作部に容器を飲料供給部に配置する旨の表示、並びに飲料供給部に容器を配置した意思表示としての入力部の表示を行わせ、該入力部が操作入力された場合に、前記飲料生成部で生成した飲料を前記容器に供給させる制御部とを備えたことを特徴とする。
【０００８】
また本発明は、上記飲料供給装置において、前記制御部は、前記入力部が操作入力された場合に、所定の決済処理が終了したことを条件として前記飲料生成部で生成した飲料を前記容器に供給させることを特徴とする。
【０００９】
また本発明は、上記飲料供給装置において、前記飲料供給部の入口を開閉する開閉扉と、前記入口を閉成する前記開閉扉が閉となる状態に保持するロック状態と、該開閉扉が前記入口を開成することを許容する解除状態との間で択一的に切り替え可能な扉開閉ロック機構とを備え、前記制御部は、前記入力部が操作入力された場合に、前記扉開閉ロック機構をロック状態にさせてから所定の決済処理が終了したことを条件として前記飲料生成部で生成した飲料を前記容器に供給させ、該飲料の供給後に扉開閉ロック機構を解除状態にさせることを特徴とする。
【００１０】
また、本発明に係る飲料供給装置は、飲料供給部に配置された容器に対して、飲料生成部で生成した飲料を供給する飲料供給装置であって、前記飲料供給部に前記容器が配置されたことを検出する容器検出部と、飲料の生成及び供給を指示する供給指示ボタンと、前記容器検出部により前記容器の配置が検出された場合には、前記供給指示ボタンを有効化させる一方、前記容器検出部により前記容器の配置が検出されない場合には、前記供給指示ボタンを無効化させる制御部とを備え、前記制御部は、有効化させた前記供給指示ボタンが押下操作された場合に、前記飲料生成部で生成した飲料を前記容器に供給させることを特徴とする。
【００１１】
また本発明は、上記飲料供給装置において、前記制御部は、有効化させた前記供給指示ボタンが押下操作された場合に、所定の決済処理が終了したことを条件として前記飲料生成部で生成した飲料を前記容器に供給させることを特徴とする。
【００１２】
また本発明は、上記飲料供給装置において、前記飲料供給部の入口を開閉する開閉扉と、前記入口を閉成する前記開閉扉が閉となる状態に保持するロック状態と、該開閉扉が前記入口を開成することを許容する解除状態との間で択一的に切り替え可能な扉開閉ロック機構とを備え、前記制御部は、有効化させた前記供給指示ボタンが押下操作された場合に、前記扉開閉ロック機構をロック状態にさせてから所定の決済処理が終了したことを条件として前記飲料生成部で生成した飲料を前記容器に供給させ、該飲料の供給後に扉開閉ロック機構を解除状態にさせることを特徴とする。
【００１３】
また本発明は、上記飲料供給装置において、前記飲料供給部の入口を開閉する開閉扉と、前記入口を閉成する前記開閉扉が閉となる状態に保持するロック状態と、該開閉扉が前記入口を開成することを許容する解除状態との間で択一的に切り替え可能な扉開閉ロック機構とを備え、前記制御部は、有効化させた前記供給指示ボタンが押下操作された場合に、所定の決済処理が終了したことを条件として前記扉開閉ロック機構をロック状態にさせ、前記飲料生成部で生成した飲料を前記容器に供給させ、該飲料の供給後に扉開閉ロック機構を解除状態にさせることを特徴とする。
【発明の効果】
【００１４】
本発明によれば、制御部が、供給指示ボタンが押下操作されたことを契機として、表示操作部に容器を飲料供給部に配置する旨の表示、並びに飲料供給部に容器を配置した意思表示としての入力部の表示を行わせ、該入力部が操作入力された場合に、飲料生成部で生成した飲料を容器に供給させるので、利用者に対して飲料供給部に容器の配置を促すだけでなく、入力部を入力操作させることで容器の配置を強く認識させることができ、これにより、飲料供給部に容器が配置されないで飲料が供給されてしまうことを抑制することができるという効果を奏する。
【００１５】
また本発明によれば、制御部が、容器検出部により容器の配置が検出された場合には供給指示ボタンを有効化させ、有効化させた供給指示ボタンが押下操作されることで、飲料生成部で生成した飲料を容器に供給させるので、飲料供給部に容器が配置されないで飲料が供給されてしまうことを抑制することができるという効果を奏する。
【図面の簡単な説明】
【００１６】
【図１】図１は、本発明の実施の形態１である飲料供給装置の外観構成を示す斜視図である。
【図２】図２は、本発明の実施の形態１である飲料供給装置の制御系を模式的に示すブロック図である。
【図３】図３は、図２に示した制御部が実施する処理内容を示すフローチャートである。
【図４】図４の（ａ）〜（ｃ）は、表示操作部における表示例を示す説明図である。
【図５】図５は、本発明の実施の形態２である飲料供給装置の外観構成を示す斜視図である。
【図６】図６は、本発明の実施の形態２である飲料供給装置の制御系を模式的に示すブロック図である。
【図７】図７は、図６に示した制御部が実施する処理内容を示すフローチャートである。
【図８】図８は、本発明の実施の形態３である飲料供給装置の外観構成を示す斜視図である。
【図９】図９は、本発明の実施の形態３である飲料供給装置の制御系を模式的に示すブロック図である。
【図１０】図１０は、図９に示した制御部が実施する処理内容を示すフローチャートである。
【図１１】図１１の（ａ）〜（ｅ）は、表示操作部における表示例を示す説明図である。
【発明を実施するための形態】
【００１７】
以下に添付図面を参照して、本発明に係る飲料供給装置の好適な実施の形態について詳細に説明する。
【００１８】
＜実施の形態１＞
図１及び図２は、それぞれ本発明の実施の形態１である飲料供給装置を示すもので、図１は、外観構成を示す斜視図であり、図２は、制御系を模式的に示すブロック図である。ここで例示する飲料供給装置１は、例えばコンビニエンスストア等の店舗に設置されるコーヒーマシンであり、例えばコーヒー豆挽き及びドリッピングの抽出処理を行って、例えばカップ等の容器Ｃにコーヒー等の飲料を供給するものである。このような飲料供給装置１は、本体キャビネット１０及び前面扉２０を備えている。
【００１９】
本体キャビネット１０は、前面が開口した略直方状の形態を成すものである。この本体キャビネット１０の内部には、飲料（例えばコーヒー）を生成する飲料生成部１１が設けてある。
【００２０】
前面扉２０は、本体キャビネット１０の前面の開口を閉塞するのに十分な大きさを有する扉体である。この前面扉２０は、本体キャビネット１０の前方側一側縁部において、上下方向に沿って延在する図示せぬ軸部の中心軸回りに揺動可能に設けてあり、本体キャビネット１０の前面の開口を開閉することが可能である。
【００２１】
かかる前面扉２０は、前面が接客面を構成しており、表示操作部２１、供給指示ボタン２２、決済処理部２３、飲料供給部２４及び開閉扉２５が設けてある。
【００２２】
表示操作部２１は、例えば液晶タッチパネルで構成してあり、各種情報を表示するとともに、タッチ操作等の操作入力を行う入力部２１ａを有している。供給指示ボタン２２は、飲料の生成及び供給を指示するための入力手段である。尚、供給指示ボタン２２は、表示操作部２１上のＧＵＩボタンであってもよい。
【００２３】
決済処理部２３は、例えば電子マネー決済等の決済処理を行うものであり、例えばスマートフォン等の携帯情報端末との間でデータの送受信を行うリーダライタ２３ａを備えている。
【００２４】
飲料供給部２４は、表示操作部２１の下方側に設けてあり、ノズル２４ａとステージ２４ｂとを有している。ノズル２４ａは、飲料生成部１１で生成された飲料を下方に向けて吐出するものである。ステージ２４ｂは、ノズル２４ａの下方域に設けてある。このステージ２４ｂは、容器Ｃを載置させるものであり、円弧状のストッパ２４ｃが設けてある。
【００２５】
開閉扉２５は、例えば透明な樹脂等の透光性材料により構成されるものであり、飲料供給部２４の入口２４ｄを覆うのに十分な大きさを有している。この開閉扉２５は、左側端部が前面扉２０に軸支されており、前後方向に沿って揺動可能なものである。つまり、開閉扉２５は、飲料供給部２４に近接離反する態様で前後方向に沿って揺動可能であり、飲料供給部２４に近接する態様で後方に揺動する場合に飲料供給部２４の入口２４ｄを閉成させることが可能であり、飲料供給部２４から離隔する態様で前方に揺動する場合に飲料供給部２４の入口２４ｄを開成させることが可能である。
【００２６】
図２に示すように、飲料供給装置１は、扉開閉ロック機構２６及び制御部３０を備えている。扉開閉ロック機構２６は、飲料供給部２４の入口２４ｄの近傍に設けてある。この扉開閉ロック機構２６は、入口２４ｄを閉成する開閉扉２５が閉となる状態を保持させて該開閉扉２５が前方に向けて揺動することを規制するロック状態と、該開閉扉２５が前方に向けて揺動することを許容する解除状態との間で択一的に切替可能なものである。かかる扉開閉ロック機構２６の切り替えは、制御部３０から与えられる指令に応じて行われる。
【００２７】
制御部３０は、上述した飲料生成部１１、表示操作部２１、供給指示ボタン２２、決済処理部２３、扉開閉ロック機構２６に電気的に接続してあり、同じく電気的に接続された記憶部３１に記憶されたプログラムやデータに従って、これら各部の動作を統括的に制御するものである。尚、制御部３０は、例えば、ＣＰＵ（Central  Processing  Unit）等の処理装置にプログラムを実行させること、すなわち、ソフトウェアにより実現してもよいし、ＩＣ（Integrated  Circuit）等のハードウェアにより実現してもよいし、ソフトウェア及びハードウェアを併用して実現してもよい。
【００２８】
図３は、図２に示した制御部３０が実施する処理内容を示すフローチャートである。かかる処理内容を説明しながら飲料供給装置１の動作について説明する。
【００２９】
制御部３０は、図４の（ａ）に示すように、表示操作部２１に「販売可」のように待機表示を行わせ（ステップＳ１０１）、供給指示ボタン２２の押下操作待ちとなる（ステップＳ１０２）。
【００３０】
供給指示ボタン２２が押下操作された場合（ステップＳ１０２：Ｙｅｓ）、制御部３０は、表示操作部２１に対して、容器Ｃを飲料供給部２４に配置する旨の表示、並びに飲料供給部２４に容器Ｃを配置した意思表示としての入力部２１ａの表示を行わせる（ステップＳ１０３）。すなわち、図４の（ｂ）に示すように、「容器セットしてください」と表示させつつ、「ＯＫ」と示された入力部２１ａを表示させる。そして、制御部３０は、ステップＳ１０３の処理を実施してから予め設定された設定時間が経過するまでに入力部２１ａが操作入力されるか否かを判断する（ステップＳ１０４，ステップＳ１０５）。
【００３１】
操作入力されることなく設定時間が経過した場合（ステップＳ１０４：Ｎｏ，ステップＳ１０５：Ｙｅｓ）、制御部３０は、ステップＳ１０１の処理に戻って、表示操作部２１に待機表示を行わせる。
【００３２】
その一方、設定時間が経過するまでに操作入力が行われた場合（ステップＳ１０４：Ｙｅｓ，ステップＳ１０５：Ｎｏ）、制御部３０は、扉開閉ロック機構２６を用いて開閉扉２５を閉状態にロックし（ステップＳ１０６）、ステップＳ１０６の処理を実施してから予め設定された決済待機時間が経過するまでに、決済処理部２３にて決済処理が行われたか否かを判断する（ステップＳ１０７，ステップＳ１０８）。
【００３３】
決済処理部２３にて決済処理が行われることなく決済待機時間が経過した場合（ステップＳ１０７：Ｎｏ，ステップＳ１０８：Ｙｅｓ）、制御部３０は、扉開閉ロック機構２６による開閉扉２５の閉状態のロックを解除してステップＳ１０１の処理に戻り、表示操作部２１に待機表示を行わせる。
【００３４】
その一方、決済待機時間が経過するまでに決済処理部２３にて決済処理が行われた場合（ステップＳ１０７：Ｙｅｓ，ステップＳ１０８：Ｎｏ）、制御部３０は、飲料生成部１１に対して、供給する飲料の生成及び供給の処理を行わせる（ステップＳ１０９）。
【００３５】
その後、制御部３０は、飲料生成部１１による飲料供給が終了したか否かを判断する（ステップＳ１１０）。飲料供給が終了していない場合（ステップＳ１１０，Ｎｏ）、制御部３０は、ステップＳ１０９に戻って飲料の生成及び供給の処理を続行する。一方、飲料供給が終了した場合（ステップＳ１１０：Ｙｅｓ）、制御部３０は、扉開閉ロック機構２６による開閉扉２５の閉状態のロックを解除し（ステップＳ１１１）、図４の（ｃ）に示すように、「容器取出し」のように容器Ｃの取出しの表示を行わせ（ステップＳ１１２）、その後に今回の処理を終了する。
【００３６】
以上説明したように、本発明の実施の形態１である飲料供給装置１によれば、制御部３０が、供給指示ボタン２２が押下操作されたことを契機として、表示操作部２１に容器Ｃを飲料供給部２４に配置する旨の表示、並びに飲料供給部２４に容器Ｃを配置した意思表示としての入力部２１ａの表示を行わせ、該入力部２１ａが操作入力された場合に、飲料生成部１１で生成した飲料を容器Ｃに供給させるので、利用者に対して飲料供給部２４に容器Ｃの配置を促すだけでなく、入力部２１ａを入力操作させることで容器Ｃの配置を強く認識させることができ、これにより、飲料供給部２４に容器Ｃが配置されないで飲料が供給されてしまうことを抑制することができる。
【００３７】
上述した実施の形態１では、飲料供給部２４の入口２４ｄを開閉する開閉扉２５が設けられていたが、本発明においては、開閉扉２５が設けられていなくてもよい。その場合には、図３に示す処理において、ステップＳ１０６及びステップＳ１１１の処理を省略すればよい。
【００３８】
＜実施の形態２＞
図５及び図６は、それぞれ本発明の実施の形態２である飲料供給装置を示すもので、図５は、外観構成を示す斜視図であり、図６は、制御系を模式的に示すブロック図である。尚、上述した実施の形態１と同様の構成要素については同一の符号を付してその説明を適宜省略する。
【００３９】
ここで例示する飲料供給装置２は、例えばコンビニエンスストア等の店舗に設置されるコーヒーマシンであり、例えばコーヒー豆挽き及びドリッピングの抽出処理を行って、例えばカップ等の容器Ｃにコーヒー等の飲料を供給するものである。このような飲料供給装置２は、本体キャビネット１０及び前面扉２０を備えている。
【００４０】
本体キャビネット１０は、前面が開口した略直方状の形態を成すものである。この本体キャビネット１０の内部には、飲料（例えばコーヒー）を生成する飲料生成部１１が設けてある。
【００４１】
前面扉２０は、本体キャビネット１０の前面の開口を閉塞するのに十分な大きさを有する扉体である。この前面扉２０は、本体キャビネット１０の前方側一側縁部において、上下方向に沿って延在する図示せぬ軸部の中心軸回りに揺動可能に設けてあり、本体キャビネット１０の前面の開口を開閉することが可能である。
【００４２】
かかる前面扉２０は、前面が接客面を構成しており、表示操作部２１、供給指示ボタン２２、決済処理部２３、飲料供給部２４及び開閉扉２５が設けてある。
【００４３】
表示操作部２１は、例えば液晶タッチパネルで構成してあり、各種情報を表示するとともに、タッチ操作等の操作入力を行う入力部２１ａを有している。供給指示ボタン２２は、飲料の生成及び供給を指示するための入力手段である。尚、供給指示ボタン２２は、表示操作部２１上のＧＵＩボタンであってもよい。
【００４４】
決済処理部２３は、例えば電子マネー決済等の決済処理を行うものであり、例えばスマートフォン等の携帯情報端末との間でデータの送受信を行うリーダライタ２３ａを備えている。
【００４５】
飲料供給部２４は、表示操作部２１の下方側に設けてあり、ノズル２４ａとステージ２４ｂとを有している。ノズル２４ａは、飲料生成部１１で生成された飲料を下方に向けて吐出するものである。ステージ２４ｂは、ノズル２４ａの下方域に設けてある。このステージ２４ｂは、容器Ｃを載置させるものであり、円弧状のストッパ２４ｃが設けてある。
【００４６】
開閉扉２５は、例えば透明な樹脂等の透光性材料により構成されるものであり、飲料供給部２４の入口２４ｄを覆うのに十分な大きさを有している。この開閉扉２５は、左側端部が前面扉２０に軸支されており、前後方向に沿って揺動可能なものである。つまり、開閉扉２５は、飲料供給部２４に近接離反する態様で前後方向に沿って揺動可能であり、飲料供給部２４に近接する態様で後方に揺動する場合に飲料供給部２４の入口２４ｄを閉成させることが可能であり、飲料供給部２４から離隔する態様で前方に揺動する場合に飲料供給部２４の入口２４ｄを開成させることが可能である。
【００４７】
図６に示すように、飲料供給装置２は、扉開閉ロック機構２６、容器検出部２７及び制御部４０を備えている。
【００４８】
容器検出部２７は、例えば光センサ等により構成されるもので、飲料供給部２４における容器Ｃの配置の有無、すなわちステージ２４ｂに容器Ｃが載置されたか否かを検出するものである。この容器検出部２７は、容器Ｃの有無の検出結果を制御部４０に与えるものである。
【００４９】
制御部４０は、上述した飲料生成部１１、表示操作部２１、供給指示ボタン２２、決済処理部２３、容器検出部２７、扉開閉ロック機構２６に電気的に接続してあり、同じく電気的に接続された記憶部４１に記憶されたプログラムやデータに従って、これら各部の動作を統括的に制御するものである。尚、制御部４０は、例えば、ＣＰＵ（Central  Processing  Unit）等の処理装置にプログラムを実行させること、すなわち、ソフトウェアにより実現してもよいし、ＩＣ（Integrated  Circuit）等のハードウェアにより実現してもよいし、ソフトウェア及びハードウェアを併用して実現してもよい。
【００５０】
図７は、図６に示した制御部４０が実施する処理内容を示すフローチャートである。かかる処理内容を説明しながら飲料供給装置２の動作について説明する。
【００５１】
制御部４０は、表示操作部２１に「販売可」のように待機表示を行わせ（ステップＳ２０１）、容器検出部２７が、容器Ｃが飲料供給部２４に有ると検出したか否かを判断する（ステップＳ２０２）。すなわち、容器検出部２７が、容器Ｃがステージ２４ｂに載置されたか否かを検出する。
【００５２】
容器Ｃが有ると検出された場合（ステップＳ２０２：Ｙｅｓ）、制御部４０は、供給指示ボタン２２を有効化、すなわち供給指示ボタン２２の押下操作の受付可能状態になり（ステップＳ２０３）、供給指示ボタン２２の押下操作待ちとなる（ステップＳ２０４）。一方、容器Ｃが有ると検出されない場合（ステップＳ２０２：Ｎｏ）、制御部４０は、ステップＳ２０２の判断処理を繰り返す。この場合、制御部４０は、供給指示ボタン２２を無効化、すなわち、供給指示ボタン２２の押下操作を受付不可状態となる。
【００５３】
供給指示ボタン２２が押下操作された場合（ステップＳ２０４：Ｙｅｓ）、制御部４０は、扉開閉ロック機構２６を用いて開閉扉２５を閉状態にロックし（ステップＳ２０５）、ステップＳ２０５の処理を実施してから予め設定された決済待機時間が経過するまでに、決済処理部２３にて決済処理が行われたか否かを判断する（ステップＳ２０６，ステップＳ２０７）。
【００５４】
決済処理部２３にて決済処理が行われることなく決済待機時間が経過した場合（ステップＳ２０６：Ｎｏ，ステップＳ２０７：Ｙｅｓ）、制御部４０は、扉開閉ロック機構２６による開閉扉２５の閉状態のロックを解除してステップＳ２０１の処理に戻り、表示操作部２１に待機表示を行わせる。
【００５５】
その一方、決済待機時間が経過するまでに決済処理部２３にて決済処理が行われた場合（ステップＳ２０６：Ｙｅｓ，ステップＳ２０７：Ｎｏ）、制御部４０は、飲料生成部１１に対して、供給する飲料の生成及び供給の処理を行わせる（ステップＳ２０８）。
【００５６】
その後、制御部４０は、飲料生成部１１による飲料供給が終了したか否かを判断する（ステップＳ２０９）。飲料供給が終了していない場合（ステップＳ２０９，Ｎｏ）には、制御部４０は、ステップＳ２０８に戻って飲料の生成及び供給の処理を続行する。一方、飲料供給が終了した場合（ステップＳ２０９：Ｙｅｓ）には、制御部４０は、扉開閉ロック機構２６による開閉扉２５の閉状態のロックを解除し（ステップＳ２１０）、「容器取出し」のように容器Ｃの取出しの表示を行わせ（ステップＳ２１１）、その後に今回の処理を終了する。
【００５７】
以上説明したように、本発明の実施の形態２である飲料供給装置２によれば、制御部４０が、容器検出部２７により容器Ｃの配置が検出された場合には供給指示ボタン２２を有効化させ、有効化させた供給指示ボタン２２が押下操作されることで、飲料生成部１１で生成した飲料を容器Ｃに供給させるので、飲料供給部２４に容器Ｃが配置されないで飲料が供給されてしまうことを抑制することができる。
【００５８】
上述した実施の形態２では、飲料供給部２４の入口２４ｄを開閉する開閉扉２５が設けられていたが、本発明においては、開閉扉２５が設けられていなくてもよい。その場合には、図７に示す処理において、ステップＳ２０５及びステップＳ２１０の処理を省略すればよい。
【００５９】
＜実施の形態３＞
図８及び図９は、それぞれ本発明の実施の形態３である飲料供給装置を示すもので、図８は、外観構成を示す斜視図であり、図９は、制御系を模式的に示すブロック図である。尚、上述した実施の形態１と同様の構成要素については同一の符号を付してその説明を適宜省略する。
【００６０】
ここで例示する飲料供給装置３は、例えばコンビニエンスストア等の店舗に設置されるコーヒーマシンであり、例えばコーヒー豆挽き及びドリッピングの抽出処理を行って、例えばカップ等の容器Ｃにコーヒー等の飲料を供給するものである。このような飲料供給装置３は、本体キャビネット１０及び前面扉２０ａを備えている。
【００６１】
本体キャビネット１０は、前面が開口した略直方状の形態を成すものである。この本体キャビネット１０の内部には、飲料（例えばコーヒー）を生成する飲料生成部１１が設けてある。
【００６２】
前面扉２０ａは、本体キャビネット１０の前面の開口を閉塞するのに十分な大きさを有する扉体である。この前面扉２０ａは、本体キャビネット１０の前方側一側縁部において、上下方向に沿って延在する図示せぬ軸部の中心軸回りに揺動可能に設けてあり、本体キャビネット１０の前面の開口を開閉することが可能である。
【００６３】
かかる前面扉２０ａは、前面が接客面を構成しており、表示操作部２１、飲料供給部２４及び開閉扉２５が設けてある。
【００６４】
表示操作部２１は、例えば液晶タッチパネルで構成してあり、各種情報を表示するとともに、タッチ操作等の操作入力を行う入力部２１ａを有している。この入力部２１ａは、飲料の生成及び供給を指示するための供給指示ボタンの機能も兼ねている。
【００６５】
飲料供給部２４は、表示操作部２１の下方側に設けてあり、ノズル２４ａとステージ２４ｂとを有している。ノズル２４ａは、飲料生成部１１で生成された飲料を下方に向けて吐出するものである。ステージ２４ｂは、ノズル２４ａの下方域に設けてある。このステージ２４ｂは、容器Ｃを載置させるものであり、円弧状のストッパ２４ｃが設けてある。
【００６６】
開閉扉２５は、例えば透明な樹脂等の透光性材料により構成されるものであり、飲料供給部２４の入口２４ｄを覆うのに十分な大きさを有している。この開閉扉２５は、左側端部が前面扉２０ａに軸支されており、前後方向に沿って揺動可能なものである。つまり、開閉扉２５は、飲料供給部２４に近接離反する態様で前後方向に沿って揺動可能であり、飲料供給部２４に近接する態様で後方に揺動する場合に飲料供給部２４の入口２４ｄを閉成させることが可能であり、飲料供給部２４から離隔する態様で前方に揺動する場合に飲料供給部２４の入口２４ｄを開成させることが可能である。
【００６７】
図９に示すように、飲料供給装置３は、扉開閉ロック機構２６、容器検出部２７及び制御部５０を備えている。
【００６８】
容器検出部２７は、例えば光センサ等により構成されるもので、飲料供給部２４における容器Ｃの配置の有無、すなわちステージ２４ｂに容器Ｃが載置されたか否かを検出するものである。この容器検出部２７は、容器Ｃの有無の検出結果を制御部５０に与えるものである。
【００６９】
制御部５０は、上述した飲料生成部１１、表示操作部２１、容器検出部２７、扉開閉ロック機構２６に電気的に接続してあり、同じく電気的に接続された記憶部５１に記憶されたプログラムやデータに従って、これら各部の動作を統括的に制御するものである。尚、制御部５０は、例えば、ＣＰＵ（Central  Processing  Unit）等の処理装置にプログラムを実行させること、すなわち、ソフトウェアにより実現してもよいし、ＩＣ（Integrated  Circuit）等のハードウェアにより実現してもよいし、ソフトウェア及びハードウェアを併用して実現してもよい。
【００７０】
図１０は、図９に示した制御部５０が実施する処理内容を示すフローチャートである。かかる処理内容を説明しながら飲料供給装置３の動作について説明する。
【００７１】
制御部５０は、図１１の（ａ）に示すように表示操作部２１に「容器を置いて下さい」の文言を表示させつつ、「飲料１」及び「飲料２」の供給指示用の入力部２１ａを表示させる待機表示を行わせ（ステップＳ３０１）、容器検出部２７が、容器Ｃが飲料供給部２４に有ると検出したか否かを判断する（ステップＳ３０２）。すなわち、容器検出部２７が、容器Ｃがステージ２４ｂに載置されたか否かを検出する。
【００７２】
容器Ｃが有ると検出された場合（ステップＳ３０２：Ｙｅｓ）、制御部５０は、図１１の（ｂ）に示すように、表示操作部２１に「飲料を選択して下さい」の文言を表示させつつ、供給指示用の入力部２１ａを有効化、すなわち各入力部２１ａのタッチ操作（入力操作）の受付可能状態になり（ステップＳ３０３）、入力部２１ａのタッチ操作待ちとなる（ステップＳ３０４）。
【００７３】
一方、容器Ｃが有ると検出されない場合（ステップＳ３０２：Ｎｏ）、制御部５０は、ステップＳ３０２の判断処理を繰り返す。この場合、制御部５０は、供給指示用の入力部２１ａを無効化、すなわち、入力部２１ａのタッチ操作を受付不可状態となる。
【００７４】
入力部２１ａがタッチ操作された場合（ステップＳ３０４：Ｙｅｓ）、すなわち、例えば「飲料１」の入力部２１ａがタッチ操作された場合、制御部５０は、図１１の（ｃ）に示すように、表示操作部２１に「支払後、飲料が抽出されます」の文言を表示させつつ、決済用のＱＲコード（登録商標）を表示させる（ステップＳ３０５）。
【００７５】
このようにＱＲコード（登録商標）を表示させた制御部５０は、ステップＳ３０５の処理を実施してから予め設定された決済待機時間が経過するまでに、決済処理完了通知が所定の通信部を介して入力されたか否かを判断する（ステップＳ３０６，ステップＳ３０７）。かかる通信部は、図には明示していないが、ネットワーク等の通信回線に接続され、データの送受信を行うものである。
【００７６】
このように表示操作部２１にＱＲコード（登録商標）が表示されることで、利用者は、スマートフォン等の携帯情報端末で該ＱＲコード（登録商標）を読み取り、決済処理を行うサーバとの間で決済処理を行うことになる。
【００７７】
決済処理が適正に行われた旨の決済処理完了通知が携帯端末機器より通信部を介して入力されずに決済待機時間が経過した場合（ステップＳ３０６：Ｎｏ，ステップＳ３０７：Ｙｅｓ）、ステップＳ３０１の処理に戻り、表示操作部２１に待機表示を行わせる。
【００７８】
その一方、決済待機時間が経過するまでに、決済処理が適正に行われた旨の決済処理完了通知が携帯端末機器より通信部を介して入力された場合（ステップＳ３０６：Ｙｅｓ，ステップＳ３０７：Ｎｏ）、すなわち、所定の決済処理が終了した場合、制御部５０は、扉開閉ロック機構２６を用いて開閉扉２５を閉状態にロックする（ステップＳ３０８）。
【００７９】
そして、制御部５０は、飲料生成部１１に対して、供給する飲料の生成及び供給の処理を行わせ（ステップＳ３０９）、図１１の（ｄ）に示すように、表示操作部２１に「飲料抽出中・・・」の文言を表示させる。
【００８０】
その後、制御部５０は、飲料生成部１１による飲料供給が終了したか否かを判断する（ステップＳ３１０）。飲料供給が終了していない場合（ステップＳ３１０，Ｎｏ）には、制御部５０は、ステップＳ３０９に戻って飲料の生成及び供給の処理を続行する。
【００８１】
一方、飲料供給が終了した場合（ステップＳ３１０：Ｙｅｓ）には、制御部５０は、扉開閉ロック機構２６による開閉扉２５の閉状態のロックを解除し（ステップＳ３１１）、図１１の（ｅ）に示すように、表示操作部２１に「飲料が出来上がりました」の文言を表示させる飲料供給終了表示を行い（ステップＳ３１２）、その後に今回の処理を終了する。
【００８２】
以上説明したように、本発明の実施の形態３である飲料供給装置３によれば、制御部５０が、容器検出部２７により容器Ｃの配置が検出された場合には入力部２１ａを有効化させ、有効化させた入力部２１ａがタッチ操作されることで、飲料生成部１１で生成した飲料を容器Ｃに供給させるので、飲料供給部２４に容器Ｃが配置されないで飲料が供給されてしまうことを抑制することができる。
【００８３】
上述した実施の形態３では、飲料供給部２４の入口２４ｄを開閉する開閉扉２５が設けられていたが、本発明においては、開閉扉２５が設けられていなくてもよい。その場合には、図１０に示す処理において、ステップＳ３０８及びステップＳ３１１の処理を省略すればよい。
【００８４】
以上、本発明の好適な実施の形態１〜３について説明したが、本発明はこれらに限定されるものではなく、種々の変更を行うことができる。
【００８５】
上述した実施の形態１〜３では述べられていないが、本発明においては、決済処理のキャンセルを指示するためのキャンセルボタンが設けられていてもよい。かかるキャンセルボタンが設けられていると、該キャンセルボタンが押下操作された場合に、待機状態に戻ることができ、利用者に対して決済待機時間の経過を待たせる必要がなく、利便性の向上を図ることができる。
【００８６】
上述した実施の形態１及び実施の形態２においては、飲料供給装置１，２を構成する要素として決済処理部２３が設けられていたが、本発明に係る飲料供給装置では、決済処理部２３が設けられていなくてもよい。
【００８７】
この場合、飲料供給装置は、図３及び図７のステップＳ１０７，ステップＳ２０６の代わりに、表示操作部にＱＲコード（登録商標）を表示し、該ＱＲコードを読み取ったスマートフォン等の携帯情報端末と決済処理を行うサーバとの間で決済処理が適正に行われたことが、該携帯情報端末により与えられたか否かを判断すればよい。そして、携帯情報端末より決済処理が行われたことが与えられたと判断した場合に、ステップＳ１０９，ステップＳ２０８の処理を実施すればよい。
【００８８】
上述した実施の形態３では述べられていないが、本発明においては、飲料供給部２４の入口２４ｄの開閉を検知する開閉センサが設けられていてもよい。この開閉センサは、開閉扉２５が前方に揺動して入口２４ｄが開成される場合にオン状態となってオン信号を制御部５０に与える一方、開閉扉２５が後方に揺動して入口２４ｄが閉成される場合にオフ状態となってオン信号の送出を規制するものである。そのような開閉センサが設けられている場合には、ステップＳ３０２で容器Ｃが有ると検出された場合に、開閉センサがオフ状態となることを条件として、ステップＳ３０３の処理を行うことが好ましい。
【符号の説明】
【００８９】
１  飲料供給装置
１０  本体キャビネット
１１  飲料生成部
２０  前面扉
２１  表示操作部
２１ａ  入力部
２２  供給指示ボタン
２３  決済処理部
２４  飲料供給部
２４ａ  ノズル
２４ｂ  ステージ
２４ｃ  ストッパ
２４ｄ  入口
２５  開閉扉
２６  扉開閉ロック機構
３０  制御部
３１  記憶部
Ｃ  容器
【図１】
2020011772.tif 000003
【図２】
2020011772.tif 000004
【図３】
2020011772.tif 000005
【図４】
2020011772.tif 000006
【図５】
2020011772.tif 000007
【図６】
2020011772.tif 000008
【図７】
2020011772.tif 000009
【図８】
2020011772.tif 000010
【図９】
2020011772.tif 000011
【図１０】
2020011772.tif 000012
【図１１】
2020011772.tif 000013